(57)【要約】【課題】  イベント用表示欄等を設けると共に、ラベル紙自体に工夫を加え、缶・瓶等に簡単に貼り付けが可能で、また、缶・瓶等の内容物を消費した際には、一部を切り取ることで缶・瓶等から簡単に剥がすことができ、さらに、ラベルを剥がした後に、ラベルの全部をまたは一部を切り抜きまたは切除することにより、当該全部または残された部分や切り抜かれた部分を自由にアルバム等に貼り付け可能にして、再利用可能なラベルを提供する。【解決手段】  表面に所定の表示欄を有し、裏面に剥離紙、その間に接着剤層を有する剥離紙構造のラベルであって、前記剥離紙は、両端部の所定幅位置または上下端部の所定幅位置に当該所定幅の剥離紙のみを剥離または剥離しやすくする背割り溝を設けてなる再利用ラベル【選択図】  図１
0003141661.tif 000002
【実用新案登録請求の範囲】
【請求項１】
表面に所定の表示欄を有し、裏面に剥離紙、その間に接着剤層を有する剥離紙構造のラベルであって、前記剥離紙は、両端部の所定幅位置または上下端部の所定幅位置に当該所定幅の剥離紙のみを剥離または剥離しやすくする背割り溝を設けてなる再利用ラベル。
【請求項２】
前記ラベルの表面に表示される表示欄は、予め各欄の表示位置、大きさ及び当該各欄に対応する入力フォーマットを設け、当該入力フォーマット上の各欄に写真、メッセージ、ロゴマークを貼り付け・書き込みすれば、その事項がラベル上の各表示欄に印刷出力される請求項１に記載の再利用ラベル。
【請求項３】
表面に所定の表示欄を有し、裏面に剥離紙、その間に接着剤層を有する剥離紙構造のラベルであって、前記接着剤層は、当該ラベルの両端部の所定幅位置または上下端部の所定幅位置に当該所定幅には高粘着の接着剤層を設け、それ以外の部分には繰り返し使用可能な低粘着の接着剤層を設けてなる再利用ラベル。
【請求項４】
前記剥離紙の両端部の所定幅位置または上下端部の所定幅位置に当該所定幅の剥離紙のみを剥離または剥離しやすくする背割り溝位置または高粘着の接着剤層位置のラベル表面に切り取り指示線または切り取り穴あき点線を有する請求項１または請求項３に記載の再利用ラベル。
【考案の詳細な説明】
【技術分野】
【０００１】
本考案は、缶・瓶等の表面に貼付されるラベルに関し、特に、結婚披露宴等の引き出物の缶・瓶用の極めて小ロットでの印刷を可能とし、また、缶・瓶等の内容物が消費された場合にも容易にとり剥がして再利用可能なラベルに関する。
【背景技術】
【０００２】
通常、缶・瓶等の表面には、その商品の名称やキャッチフレーズ等の図画・写真等が表示される所定大きさのラベルが貼付される。また、これらの缶・瓶等に貼付するラベルの作成に際しては、近年、極めて小ロットで自由に印刷ができるようになり、本願考案者は、結婚当事者の写真等を中央に表示した結婚披露宴の引き出物用の缶・瓶等へのオリジナルラベルを案出するに至った。
【０００３】
しかしながら、これらのラベルは、結婚当事者の写真が中央に大きく掲載されているため、内容物が消費されて、不要になった空き缶・空き瓶等を廃棄する際には、その写真等が表示されているため、廃棄に抵抗を感じ、また、実際に廃棄する際には、全面糊付けされたラベルをお湯等に数時間浸してから剥がす等の必要があり、煩わしかった。また、これらの写真は、剥がし安いように工夫されていれば、内容物の消費後、アルバム等に張り直すことにより、さらに結婚式の思い出を忍ぶことができることを案出するに至った。
【０００４】
すなわち、現在のラベル・シール等の印刷業界にあっては新規に作成、印刷する場合、数料（ロット）によって単価が大きく左右される。デザイン代、版下代、製版代、絶対的な固定経費、などが計上されるため高い単価となる上、作成時間に最低２週間から４週間は必要であり、また、ラベル・シールは現状あくまでも一度使用（使用物に貼付）したら再度そのものを利用することはできず、なおかつ、この、ラベル・シールを写真等のように記念としてアルバム等に残すことも当然にできる前提で作成されるものではない。たとえ、繰り返し作成される場合のリピート作成においても、作成時間としては、最低１週間程度を必要とするなど瞬時の対応が厳しいのが現状である。
【０００５】
そこで、上記のような現状から脱却し、用途性に富んだ上に在庫リスクがなく、現在の印刷業界では数量によって大きく価格が変動する現状を捉えたとき、数量には関係なく、瞬時に近い待ち時間、日数で、数量に関係ない価格でラベル・シール等が提供できれば、これまでのラベル・シールに比し、利用範囲の大きさと多さは計り知れない。そこで、コンピュータで印刷データを予め作成し、パソコンのプリンタを利用して、適宜のデザイン、大きさ、色合い、形状で、数時間で使用目的にあった内容で、例えば、結婚式等のイベントにおいて、配布される缶・瓶等の表面に貼付するラベルにおいて、適宜の人物写真、地域写真、あらゆる物体写真、各種イラスト、キャッチコピーなどを自由に取込可能としたラベルを案出するに至った。
【０００６】
また、このようなラベルから記念写真として利用できるように添付されたラベルから所定の箇所を切り取ったり、剥がしたりして残すことができれば、ラベルの利用価値は一層増加することとなる。
【０００７】
この種の表面に結婚式等のイベントを表示するラベルとしては、例えば、実用新案登録第３０９９６５７号公報に開示のものが知られている。図８は、当該実用新案登録第３０９９６５７号公報に開示の「飲料容器用ラベル」の概略を示すものであり、具体的には、例えば、飲料容器に貼着するラベル本体１０１の裏面の貼着層１０２を剥離紙１０３で被覆してなるラベルにおいて、前記ラベル本体１０１の表面上段にイベント表示欄１０４を設け、中段にイベント結果表示欄１０５を設け、下段に文章書き込み欄１０６を設けてなる飲料容器用ラベルの概略を示す図である。図８において、１００は、飲料容器用ラベル、１０１は、ラベル本体、１０２は、貼着層、１０３は、剥離紙、１０４は、イベント表示欄、１０５は、イベント結果表示欄、１０６は、文章書き込み欄である。
【０００８】
当該実用新案登録第３０９９６５７号公報に開示の「飲料容器用ラベル」は、ラベルの裏面に貼着層１０２を有した剥離紙１０３を設け、剥離自在とすると共に、その表面には、所定のイベント表示欄１０４、イベント結果表示欄１０５、文章書き込み欄１０６をそれぞれ設け、イベントに際して、飲料用缶等に貼付されるものである。
【０００９】
また、缶・瓶等の表面に貼付されたラベルをそのまま廃棄すると、悪用される例があるとして、廃棄の際にそのラベルを剥がして廃棄処理をするものとして、例えば、実用新案登録第３１３７０１３号公報開示のものが知られている。図９は、当該実用新案登録第３１３７０１３号公報に開示の「ラベルの剥離構造」の概略を示すものであり、具体的には、例えば、ラベルの剥離構造であって、ラベル被着体１１１及び前記ラベル被着体１１１の表面に貼り付けられるラベル本体１１２を含み、そのうち、前記ラベル被着体１１１とラベル本体１１２の間にラベル本体１１２の被覆面から露出された剥離代１１３を設けたラベルの剥離構造の概略を示す図である。図９において、１１１は、ラベル被着体、１１２はラベル本体、１１３は剥離代である。
【００１０】
当該実用新案登録第３１３７０１３号公報に開示の「ラベルの剥離構造」は、「ラベル被着体を・・・廃棄するとき、前記ラベルを剥離せずにおくと、後に不徳なメーカーや人物により、その容器に偽の酒やコピー飲料等を再度充填するなどして利用されることがあり、メーカーと消費者の間で紛糾やその他法律的責任問題」に鑑み（同段落番号０００３）、「ラベル被着体とラベル本体の間にラベル本体の被覆面から露出された剥離代を設け」る構成をとることとしたものである。
【００１１】
しかしながら、上記先行文献に開示のものは、例えば、特許文献１（実用新案登録第３０９９６５７号公報）に開示のものは、確かに、イベント表示欄１０５等を設けてはいるが、一旦、貼り付けてしまうと剥がし易くする工夫等がされているものではなく、再利用への配慮が欠けている。
また、特許文献２（実用新案登録第３１３７０１３号公報）に開示のものは、ラベルの引き剥がしへの工夫はされているが、剥がしたラベルを再利用する配慮に欠ける。
【特許文献１】実用新案登録第３０９９６５７号公報
【特許文献２】実用新案登録第３１３７０１３号公報
【考案の開示】
【考案が解決しようとする課題】
【００１２】
そこで、本願考案は、イベント用表示欄等を設けると共に、ラベル紙自体に工夫を加え、缶・瓶等に簡単に貼り付けが可能で、また、缶・瓶等の内容物を消費した際には、一部を切り取ることで缶・瓶等から簡単に剥がすことができ、さらに、ラベルを剥がした後に、ラベルの全部をまたは一部を切り抜きまたは切除することにより、当該全部または残された部分や切り抜かれた部分を自由にアルバム等に貼り付け可能にして、再利用可能なラベルを提供することを目的とする。
【課題を解決するための手段】
【００１３】
本願請求項１に係る発明は、表面に所定の表示欄を有し、裏面に剥離紙、その間に接着剤層を有する剥離紙構造のラベルであって、前記剥離紙は、両端部の所定幅位置または上下端部の所定幅位置に当該所定幅の剥離紙のみを剥離または剥離しやすくする背割り溝を設けてなる再利用ラベルである。
また、本願請求項２に係る発明は、前記請求項１に記載の再利用ラベルであって、前記ラベルの表面に表示される表示欄は、予め各欄の表示位置、大きさ及び当該各欄に対応する入力フォーマットを設け、当該入力フォーマット上の各欄に写真、メッセージ、ロゴマークを貼り付け・書き込みすれば、その事項がラベル上の各表示欄に印刷出力されるものである。
さらに、本願請求項３に係る発明は、表面に所定の表示欄を有し、裏面に剥離紙、その間に接着剤層を有する剥離紙構造のラベルであって、前記接着剤層は、当該ラベルの両端部の所定幅位置または上下端部の所定幅位置に当該所定幅には高粘着の接着剤層を設け、それ以外の部分には繰り返し使用可能な低粘着の接着剤層を設けてなる再利用ラベルである。
また、本願請求項４に係る発明は、前記請求項１又は請求項３に係る再利用ラベルにおいて、前記剥離紙の両端部の所定幅位置または上下端部の所定幅位置に当該所定幅の剥離紙のみを剥離または剥離しやすくする背割り溝位置または高粘着の接着剤層位置のラベル表面に切り取り指示線または切り取り穴あき点線を有するものである。
【考案の効果】
【００１４】
本考案は、上記構成としたので、極めて少数ロットのラベルの作成を可能とし、したがって、結婚式引き出物等の特別な用途の缶・瓶等の商品ラベルとすることができ、缶便等の内容物を消費した際には、容易に切り離すことができるので、切り離した後には、適宜の部分をアルバム等に別途利用することができる。すなわち、所定の入力フォームにより入力するようにしたので、使用目的、使用業種などあらかじめ数パターンからなるベースとなる数種のデザインパターンを予め用意しておくことができると共に、取り込むデータは写真・コメント・キャッチコピーなど好みと必要に応じ取り込むことができるので、それらを自由自在に組み込み・組替えが容易に可能となるという効果がある。
【００１５】
また、取り込むデータは、写真（スキャナーで取り込む）、デジカメ・携帯電話の写真データ、ＣＤ、メール等で送受信されたデータも容易に取り込めるので、瞬時の作成が可能となる。
また、これまで廃棄するしかなかったラベル、シール、カタログ等の全てが記念写真などとして再利用でき、かつ残すことができるという効果を有する。
【考案を実施するための最良の形態】
【００１６】
本考案を実施するための最良の形態について、実施例１に基づいて詳細に説明する。
【実施例１】
【００１７】
図１は、本考案の実施例１に係る再利用ラベルを裏面から見た概略図であり、図２はその断面構成図である。図２に示されるように、本実施例１に示される再利用ラベル１は、全体が三層構造からなる。すなわち、ラベル表紙２、その表面に塗布される接着剤層３、さらに、剥離紙４からなる。
【００１８】
本実施例１に係る再利用ラベル１においては、前記剥離紙４の端部に所定幅位置に背割り溝５１、５２を設ける。本実施例１においては、前記背割り溝は、ラベル１の両端に設けたが、これは、それぞれ上下端部の所定幅位置に設けても良い。また、当該背割り溝５１、５２は、当該剥離紙画完全に切り離された状態の背割り溝５１、５２であっても良く、あるいは、完全には切り離されずに、切り離しを容易にする背割り溝構造５１、５２であっても良い。
【００１９】
また、ラベル１の表面には、本実施例１に係る再利用ラベル１では、結婚式引き出物用商品の缶に用いるラベルであるので、その表面には、図１に示されるように、結婚当事者である新郎・新婦の写真表示欄６、新郎新婦からの感謝の言葉等のメッセージ表示欄７等の外に、商品説明表示欄８、結婚式場のロゴマーク等表示欄９等が配置され、それぞれ印刷される。図１において、符号６は写真表示欄、７は、メッセージ表示欄、８は、商品説明表示欄、９はロゴマーク等表示欄であり、表の欄の個数、大きさは本実施例１に限定されるものではない。なお、図１は、本実施例１に係る再利用ラベル１を裏面から見ているので各欄の位置大きさの概略の例を示すために点線で示した。そして、当該各欄６〜９は、パーソナルコンピュータ等で印刷される少量ロットの印刷であっても良いし、また通常のオフセット印刷等による多量の印刷ロットであっても良い。
【００２０】
上記イベントにおいて使用される本実施例１に係る再利用ラベル１を作成する際には、例えば、パーソナルコンピュータを用いる場合には、各欄の表示位置及び大きさを決めておき、さらには、各欄に対応する入力フォーマットを予め設けておき、各欄に写真、メッセージ、ロゴマークを挿入・貼り付けすれば、その挿入・貼り付け事項がそれぞれ表示欄に印刷出力されるフォーマットを予め作成しておいても良いものである。
【００２１】
図３は、入力フォーマットの一例を示すものであり、図の「Ａ」で示される欄の横の空欄は、上記写真表示欄６に、同「Ｂ」で示される欄の横の空欄は、上記メッセージ表示欄７に、同「Ｃ」で示される欄の横の空欄は、上記商品説明表示欄８、同「Ｄ］で示される欄の横の空欄は、上記ロゴマーク表示欄９に対応する空欄であって、ラベル作成者は、自己のパーソナルコンピュータ等で、この各欄の横の空欄に画像ファイルを貼り付け、あるいは、適宜の字句を書き込むことにより、その貼り付けあるいは書き込み内容が、そのまま各欄６〜９に表示されるようプログラムを作成しておいても良いものである。また、作成者は作成状態をラベル画像としてコンピュータ画面上で常に監視しながらラベル作成ができるようにしても良い。なお、当然のことながら、上記入力フォーマット欄Ａ〜Ｄは限定されるものではなく、ラベル表示上各欄の必要とする数または大きさは適宜定めることができることはいうまでもない。
【００２２】
このようにして作成された本実施例1に係る再利用ラベルを使用するには、次のようにしてされる。
〔缶等への貼り付け過程〕
まず、前記本実施例１に係る再利用ラベルの前記所定幅の背割り溝５１、５２から所定幅端部の剥離紙４１、４２を切り剥がす。剥離紙４１、４２が切り剥がされて接着剤層３１，３２を露出させたら、それ以外の部分には、剥離紙４を残したまま、図４に示すように、この一端、例えば、接着剤層３１を巻き付ける缶１０に接着し、斜め等に歪まないように巻き付ける。図４において、符号１０は、当該ラベル１が巻き付けられる缶であり、３１、３２は、露出して缶１０に接着される接着剤層である。そして、図４に示すように、そのまま他端の接着剤層３２に至るまで巻き付け缶１０に貼り付ける。このような状態で、本実施例１に係る再利用ラベルは缶１０に巻き付け、固定され、それを、例えば、複数個をセット詰めにして結婚式引き出物等として贈答される。
【００２３】
〔ラベルの剥がし過程〕
再利用ラベルが巻き付け・固定された缶１０を持ち帰り、内容物が消費され、空缶となったら、前記ラベルの背割り溝３１、３２位置、あるいは、他の適当な位置で、図５に示すように、カッター１１等で、当該ラベルを切断して、缶１０から切り離す。そうすると、本実施例１に係る再利用ラベルは、上述するように、前記背割り溝５１、５２から所定幅端部の剥離紙４１、４２以外の部分は、なお、ラベル表紙２、接着剤層３、剥離紙４からなる三層構造であるので、前記接着剤層３１、３２を缶１０に残したまま、ラベル１が缶１０から切り離される。
図６は、缶１０から切り離され、前記端部接着層３１、３２が除かれた状態の再利用ラベル１を示す図である。切り離された再利用ラベル１は、ラベル表紙２、その表面に塗布される接着剤層３、さらに、剥離紙４からなる三層構造をなお維持しているので、若干大きさは小さくなるが、完全な三層構造の剥離紙ラベルと同等のものが得られる。
【００２４】
〔写真等欄の再利用過程〕
このようにして、完全な三層構造のラベル紙１から、図６に示すように、上記表紙の各表示欄の、例えば、新郎・新婦の写真欄６のみを切り抜き、さらに、その部分の裏面から剥離紙を取り除く。そうすると、そこには、接着剤層３０が塗れたラベル紙を得ることができる。そこで、図７に示すように、その切り抜き部分を他のアルバム１２等に自由に貼り付け再利用をすることができる。なお、図６、図７において、符号２は、前述のラベル表紙、６〜９は、図１において示した写真表示欄６、メッセージ表示欄７、商品説明表示欄８、ロゴマーク等表示欄９であり、１１は同カッター、１２は、アルバムである。
【実施例２】
【００２５】
上記実施例１においては、全面を三層構造の剥離紙構造としてが、この剥離紙構造に使用する接着剤は、一旦、貼り付け後は、一定の固定力を保持するが、繰り返し使用可能な低粘着の接着剤を使用するものであっても良く、特に、ラベルの両端部の所定幅位置または上下端部の所定幅位置に当該所定幅以外の部分は、低粘着の接着剤を用いるようにすれば、缶１０にラベルの両端部の所定幅位置または上下端部の所定幅位置に配置した高粘着接着部を貼り付け後、そのラベルの両端部の所定幅位置または上下端部の所定幅位置の高粘着の接着部を残したまま切り離し、切り離した後は、繰り返し使用可能な低粘着の接着剤部によって、必要な表示部分をアルバム等に貼り付けるようにしても良い。
【００２６】
すなわち、本実施例２においては、前記ラベルの両端部の所定幅位置または上下端部の所定幅位置に高粘着の接着剤層を設け、当該所定幅以外の部分は、繰り返し使用可能な低粘着の接着剤を用いて、缶１０等に貼り付ける際には、裏面全体の剥離紙をはぎ取り缶１０に巻き付け、貼り付け、その後、再利用する際には、高粘着部を缶１０に残したまま、はぎ取り、その後、繰り返し使用する低粘着接着剤層でアルバムに貼り付け再利用するというものである。
【実施例３】
【００２７】
上記実施例１及び実施例２において、缶１０等に接着される領域は、部分的に剥離紙が剥離された状態であり、部分的に高粘着で貼り付けられる接着部であるところ、それらの箇所は、全てラベル裏面であり、缶１０等に巻き付け・貼り付けられた後は、表面からはその接着位置が見えにくい。そこで、これらの接着箇所を表面から把握できるように、前記背割り溝の表面に切り取り指示線または切り取り穴あき点線等の表示をしてみた。このようにすることにより、表面から切り取る際の位置が容易に把握できることとなる。
【図面の簡単な説明】
【００２８】
【図１】図１は、本考案の実施例１に係る再利用ラベルを裏面から見た概略図である。
【図２】図２は、本考案の実施例１に係る実施再利用ラベルの断面構成図である。
【図３】図３は、入力フォーマットの一例を示す図である。
【図４】図４は、本実施例１に係る再利用ラベルを缶等への貼り付ける過程の概略を示す図である。
【図５】図５は、本実施例１に係る再利用ラベルを缶等から剥がす過程の概略を示す図である。
【図６】図６は、缶１０から切り離され、前記端部接着層３１、３２が除かれた状態の再利用ラベル１を示す図である。
【図７】図７は、切り離されたラベルをさらに切り抜き、その切り抜き部分をアルバム等に貼り付け再利用を示す概略図である。
【図８】図８は、実用新案登録第３０９９６５７号公報に開示の「飲料容器用ラベル」の概略を示す図である。
【図９】図９は、実用新案登録第３１３７０１３号公報に開示の「ラベルの剥離構造」の概略を示す図である。
【符号の説明】
【００２９】
１    再利用ラベル
２    ラベル表紙２
３    接着剤層
４    剥離紙
６    写真表示欄
７    メッセージ表示欄
８    商品説明表示欄
９    ロゴマーク等表示欄
１０    缶
１１    カッター
１２    アルバム
３０    接着剤層
３１，３２    接着剤層
４１，４２    剥離紙
５１，５２    背割り溝
１００    飲料容器用ラベル
１０１    ラベル本体
１０２    貼着層
１０３    剥離紙
１０４    イベント表示欄
１０５    イベント結果表示欄
１０６    文章書き込み欄
１１１    ラベル被着体
１１２    ラベル本体
１１３    剥離代
【図１】
0003141661.tif 000003
【図２】
0003141661.tif 000004
【図３】
0003141661.tif 000005
【図４】
0003141661.tif 000006
【図５】
0003141661.tif 000007
【図６】
0003141661.tif 000008
【図７】
0003141661.tif 000009
【図８】
0003141661.tif 000010
【図９】
0003141661.tif 000011
【手続補正書】
【提出日】平成20年2月29日(2008.2.29)
【手続補正１】
【補正対象書類名】図面
【補正対象項目名】図８
【補正方法】変更
【補正の内容】
【図８】
0003141661.tif 000012